(57)【要約】【課題】本発明の目的は、商品の棚卸作業に伴って決定された値札の印刷履歴に従って、値札を付ける作業を管理することで、値札を付ける業務の効率化や値札の付け間違いを減らす仕組みを提供すること。【解決手段】携帯端末で、棚卸情報と変更価格と値札の印刷指示を画像形成装置に行う。携帯端末で、印刷された値札の貼付入力を行い、貼付情報をサーバに送信する。画像形成装置は、値札を印刷し、値札の印刷履歴をサーバに送信する。サーバは印刷履歴と貼付情報から値札が貼付されていない商品ＣＤを抽出し、携帯端末に貼付されていない商品の商品ＣＤを送信する。【選択図】図８
2011123536.tif 000002
【特許請求の範囲】
【請求項１】
商品情報を記憶するサーバ装置と、商品識別情報と商品価格を含む商品情報を記憶する記憶手段を備える棚卸をするために用いる携帯端末と、値札を印刷可能な画像形成装置とを含む情報処理システムであって、
前記携帯端末は、
商品識別情報ごとに、商品の棚卸情報と変更価格と印刷指示を入力する棚卸入力手段と、
前記棚卸入力手段で印刷指示のあった商品識別情報と変更価格を含む印刷要求を前記画像形成装置に送信する印刷要求送信手段と、
前記画像形成装置で印刷された値札の貼付情報を入力する貼付入力手段と、
前記商品識別情報と貼付情報をサーバ装置に送信する送信手段と
を備え、
前記画像形成装置は、
前記商品識別情報と変更価格を含む印刷要求を前記携帯端末から受信する印刷要求受信手段と、
前記印刷要求に従って、変更価格を含む値札を印刷する印刷手段と、
前記印刷手段で印刷した商品識別情報を含む印刷履歴をサーバ装置に送信する印刷履歴送信手段と
を備え、
前記サーバ装置は、
前記印刷履歴と前記貼付情報を受信する受信手段と、
前記印刷履歴と前記貼付情報に従って、貼付されていない値札の商品識別情報を抽出する抽出手段と、
前記貼付されていない値札の貼付を行わせるべく、前記抽出手段で抽出された商品識別情報を前記携帯端末に送信する商品識別情報送信手段と
を備えることを特徴とする情報処理システム。
【請求項２】
前記携帯端末は、
前記サーバ装置から前記貼付されていない値札の商品識別情報を受信する商品識別情報受信手段と、
前記貼付入力手段は、前記商品識別情報受信手段で受信した商品識別情報に対して、値札の貼付情報を入力することを特徴とする請求項１に記載の情報処理システム。
【請求項３】
前記携帯端末は、
前記商品識別情報受信手段で受信した商品識別情報に対する値札の再印刷指示する再印刷指示手段を更に備え、
前記印刷要求送信手段は、前記再印刷指示手段で指示のあった商品識別情報に対応する値札を再印刷するべく、印刷要求を前記画像形成装置に送信することを特徴とする請求項１又は２に記載の情報処理システム。
【請求項４】
前記携帯端末は、
印刷入力モードと値札貼付入力モードとを更に備え、
前記印刷入力モードで、前記棚卸入力手段と前記印刷要求送信手段を実行し、
前記値札貼付入力モードで、前記貼付入力手段と前記送信手段を実行することを特徴とする請求項１に記載の情報処理システム。
【請求項５】
前記携帯端末は、
再処理モードを更に備え、
前記再処理モードで、前記商品識別情報受信手段を実行することを特徴とする請求項３に記載の情報処理システム。
【請求項６】
商品情報を記憶するサーバ装置と、商品識別情報と商品価格を含む商品情報を記憶する記憶手段を備える棚卸をするために用いる携帯端末と、値札を印刷可能な画像形成装置とを含む情報処理システムの処理方法であって、
前記携帯端末が、
商品識別情報ごとに、商品の棚卸情報と変更価格と印刷指示を入力する棚卸入力ステップと、
前記棚卸入力ステップで印刷指示のあった商品識別情報と変更価格を含む印刷要求を前記画像形成装置に送信する印刷要求送信ステップと、
前記画像形成装置で印刷された値札の貼付情報を入力する貼付入力ステップと、
前記商品識別情報と貼付情報をサーバ装置に送信する送信ステップと
を実行し、
前記画像形成装置が、
前記商品識別情報と変更価格を含む印刷要求を前記携帯端末から受信する印刷要求受信ステップと、
前記印刷要求に従って、変更価格を含む値札を印刷する印刷ステップと、
前記印刷ステップで印刷した商品識別情報を含む印刷履歴をサーバ装置に送信する印刷履歴送信ステップと
を実行し、
前記サーバ装置が、
前記印刷履歴と前記貼付情報を受信する受信ステップと、
前記印刷履歴と前記貼付情報に従って、貼付されていない値札の商品識別情報を抽出する抽出ステップと、
前記貼付されていない値札の貼付を行わせるべく、前記抽出ステップで抽出された商品識別情報を前記携帯端末に送信する商品識別情報送信ステップと
を実行することを特徴とする処理方法。
【請求項７】
商品情報を記憶するサーバ装置と、商品識別情報と商品価格を含む商品情報を記憶する記憶手段を備える棚卸をするために用いる携帯端末と、値札を印刷可能な画像形成装置とを含む情報処理システムで実行可能なプログラムであって、
前記携帯端末を、
商品識別情報ごとに、商品の棚卸情報と変更価格と印刷指示を入力する棚卸入力手段と、
前記棚卸入力手段で印刷指示のあった商品識別情報と変更価格を含む印刷要求を前記画像形成装置に送信する印刷要求送信手段と、
前記画像形成装置で印刷された値札の貼付情報を入力する貼付入力手段と、
前記商品識別情報と貼付情報をサーバ装置に送信する送信手段と
して機能させ、
前記画像形成装置を、
前記商品識別情報と変更価格を含む印刷要求を前記携帯端末から受信する印刷要求受信手段と、
前記印刷要求に従って、変更価格を含む値札を印刷する印刷手段と、
前記印刷手段で印刷した商品識別情報を含む印刷履歴をサーバ装置に送信する印刷履歴送信手段と
して機能させ、
前記サーバ装置を、
前記印刷履歴と前記貼付情報を受信する受信手段と、
前記印刷履歴と前記貼付情報に従って、貼付されていない値札の商品識別情報を抽出する抽出手段と、
前記貼付されていない値札の貼付を行わせるべく、前記抽出手段で抽出された商品識別情報を前記携帯端末に送信する商品識別情報送信手段と
して機能させることを特徴とするプログラム。
【発明の詳細な説明】
【技術分野】
【０００１】
商品の値札の出力に関する情報処理システムとその方法及びプログラム。
【背景技術】
【０００２】
スーパーマーケットのような小売店舗において、毎朝、商品毎のＰＯＰ（値札）を作成しその日の販売価格を商品に表示して販売している。
【０００３】
この商品の値段は、特売による集客や、不良在庫回避のための値下げなど、毎日頻繁に多商品において日々変動しているため、ＰＯＰの作成については、ＰＣの専用ソフトを利用して作成し、複合機から印刷することが行われている。
このような業務形態では、一般的に、商品ごとの日々の価格をＰＯＳサーバによって管理しており、ＰＯＳサーバの持つ価格を利用してＰＯＰを作成する。
【０００４】
このＰＯＰを作成するシステムとして、商品データの変更や新たな商品データの設定がなされた場合に、担当者がＰＯＰを効率よく正確に印刷および印字するシステムが存在する（特許文献１）。
【先行技術文献】
【特許文献】
【０００５】
【特許文献１】特開２００５−１３５１８０号公報
【発明の概要】
【発明が解決しようとする課題】
【０００６】
しかしながら、ＰＯＰ作成は、商品陳列棚にある在庫商品の数の把握や、日々の販売金額の把握などの情報も必要であるため、その情報を収集してからとなる。
【０００７】
一般的に、在庫商品の数などの棚卸処理は、開店前に行われることが多く、棚卸処理をした後、どのＰＯＰを作成するかを判断して、ＰＯＰを作成するのは業務としては、煩雑であり作業者にかかる作業負荷も高い。
【０００８】
また、ＰＯＰ張替えが多い日など忙しい日は、ＰＣの待ち行列ができ、すべての商品のＰＯＰが作成できない時があり、開店時間に間に合わないといったことが発生する。
【０００９】
ＰＯＰが作成できたとしても、人が印刷したＰＯＰを張替に行くので、貼り忘れ・貼り間違え等の人為的ミスが発生してしまうという問題を抱えていた。特に、ＰＯＰが適切に貼られていない場合には、安売りの効果が出なかったり、販売価格の相違でお客様に迷惑をかけることがしばしばある。
【００１０】
そこで、本発明の目的は、商品の棚卸作業に伴って決定された値札の印刷履歴に従って、値札を付ける作業を管理することで、値札を付ける業務の効率化や値札の付け間違いを減らす仕組みを提供することである。
【課題を解決するための手段】
【００１１】
本発明の目的を達成するために、本発明は、商品情報を記憶するサーバ装置と、商品コードと商品価格を含む商品情報を記憶する記憶手段を備える棚卸をするために用いる携帯端末と、値札を印刷可能な画像形成装置とを含む情報処理システムであって、前記携帯端末は、商品コードごとに、商品の棚卸情報と変更価格と印刷指示を入力する棚卸入力手段と、前記棚卸入力手段で印刷指示のあった商品コードと変更価格を含む印刷要求を前記画像形成装置に送信する印刷要求送信手段と、前記画像形成装置で印刷された値札の貼付情報を入力する貼付入力手段と、前記商品コードと貼付情報をサーバ装置に送信する送信手段とを備え、前記画像形成装置は、前記商品コードと変更価格を含む印刷要求を前記携帯端末から受信する印刷要求受信手段と、前記印刷要求に従って、変更価格を含む値札を印刷する印刷手段と、前記印刷手段で印刷した商品コードを含む印刷履歴をサーバ装置に送信する印刷履歴送信手段とを備え、前記サーバ装置は、前記印刷履歴と前記貼付情報を受信する受信手段と、前記印刷履歴と前記貼付情報に従って、貼付されていない値札の商品コードを抽出手段と、前記貼付されていない値札の貼付を行わせるべく、前記抽出手段で抽出された商品コードを前記携帯端末に送信する商品コード送信手段とを備えることを特徴とする。
【００１２】
また前記携帯端末は、前記サーバ装置から前記貼付されていない値札の商品識別情報を受信する商品識別情報受信手段と、前記貼付入力手段は、前記商品識別情報受信手段で受信した商品識別情報に対して、値札の貼付情報を入力することを特徴とする。
【００１３】
また、前記携帯端末は、前記商品識別情報受信手段で受信した商品識別情報に対する値札の再印刷指示する再印刷指示手段を更に備え、前記印刷要求送信手段は、前記再印刷指示手段で指示のあった商品識別情報に対応する値札を再印刷するべく、印刷要求を前記画像形成装置に送信することを特徴とする。
【００１４】
また、前記携帯端末は、印刷入力モードと値札貼付入力モードとを更に備え、前記印刷入力モードで、前記棚卸入力手段と前記印刷要求送信手段を実行し、前記値札貼付入力モードで、前記貼付入力手段と前記送信手段を実行することを特徴とする。
また、前記携帯端末は、再処理モードを更に備え、前記再処理モードで、前記商品識別情報受信手段を実行することを特徴とする。
【発明の効果】
【００１５】
商品の棚卸作業に伴って決定された値札の印刷履歴に従って、値札を付ける作業を管理することで、値札を付ける業務の効率化や値札の付け間違いを減らすことができる。
【図面の簡単な説明】
【００１６】
【図１】ＰＯＰの印刷や貼付を管理する情報処理システムの概略を示す図
【図２Ａ】ＰＯＰ作成クライント端末１０１、ＰＯＰサーバ端末１０２、全社ＰＯＳサーバ端末１０３、拠点ＰＯＳサーバ端末１０４のハードウエア構成図
【図２Ｂ】ハンディーターミナル端末１０５のハードウエア構成図
【図２Ｃ】複合機１０６のハードウエア構成図
【図３】各装置の機能ブロック図
【図４】拠点ＰＯＳ用データ作成処理に関するフローチャート
【図５】棚卸し入力処理に関するフローチャート
【図６】ＰＯＰ印刷処理に関するフローチャート
【図７】ＰＯＰ貼付処理に関するフローチャート
【図８】貼付け差分判定処理に関するフローチャート
【図９】ＰＯＰ再貼付け処理に関するフローチャート
【図１０】棚卸しメニュー画面
【図１１】ＨＴの棚卸し入力画面
【図１２】ＰＯＰ印刷指示画面
【図１３】ＰＯＰ貼付入力画面
【図１４】ＰＯＰ貼付入力−エラー表示画面
【図１５】ＰＯＰ貼付差分データ一覧画面
【図１６】差分データ処理画面
【図１７】印刷物のイメージ図
【図１８Ａ】データ構造を示す図
【図１８Ｂ】データの一例を示す図
【発明を実施するための形態】
【００１７】
以下、本発明の実施形態について図面を参照しながら説明する。
図１は、本発明の実施の形態に関わる、ＰＯＰの印刷や貼付を管理する情報処理システムの概略を示す説明図である。
【００１８】
図１に示すように、本実施の形態の情報処理システムでは、単数または、複数のハンディーターミナル端末１０５が、ＯＣ端末１０８及び無線ＡＰ１０７、通信網１１０（例えば、ＬＡＮ）を介してデータ通信が可能なように拠点ＰＯＳサーバ端末１０４、および、複合機１０６と接続されている。ＯＣ端末１０８は、ＬＡＮにて各端末との高速データ通信を可能にする通信ユニットである。また、無線ＡＰ１０７は、ハンディーターミナル端末１０５と無線通信するためのアクセスポイントである。
【００１９】
また、この情報処理システムでは、ＰＯＰ作成クライアント端末１０１が通信網１１０を介してＰＯＰ作成専用のＰＯＰサーバ端末１０２と通信可能なように接続されている。さらに、全社ＰＯＳサーバ端末１０３は、通信網１１０を介して拠点ＰＯＳサーバ端末１０４に通信可能なように接続されている。
【００２０】
ＰＯＰサーバ端末１０２では、商品毎にデザインされた、各商品の商品情報をもったＰＯＰが保管されている。ＰＯＰのデザインと作成は、ＰＯＰ作成クライアント端末１０１でおこなわれ、作成したものは、ＰＯサーバ端末１０２へ送信され保管される。また、ハンディーターミナル端末１０５からの要求に従って、ＰＯＰ（値札）を印刷可能な複合機（画像形成装置）が通信可能に接続されている。
次に、図２Ａ〜図２Ｃを用いて、各端末のハードウエア構成について説明する。
【００２１】
図２Ａは、本発明の実施の形態に関わる、ＰＯＰ作成クライント端末１０１、ＰＯＰ作成専用ＰＯＰサーバ端末１０２、全社ＰＯＳサーバ端末１０３、拠点ＰＯＳサーバ端末１０４のハードウエア構成図である。
【００２２】
ＰＯＰ作成クライント端末１０１、ＰＯＰサーバ端末１０２、全社ＰＯＳサーバ端末１０３、拠点ＰＯＳサーバ端末１０４は、ＣＰＵ２０１と、ＲＡＭ２０２と、ＲＯＭ２０３と、ＬＡＮアダプタ２０４と、ビデオアダプタ２０５と、キーボード２０６と、マウス２０７等のポインテンィングデバイスと、ハードディスク２０８と、記録媒体ドライブ２０９とを備え、これらが、システムバス２００を介して接続されている。実際には、ＣＰＵ２０１乃至記録媒体ドライブ２０９とシステムバスとの間に図示しないインターフェース回路やチップセットが存在する。
システムバス２００は、ＰＣＩバスやＡＧＰバス等の各種システムバスである。複数のシステムバス間は、図示しないチップセットを介して接続されている。
【００２３】
ＣＰＵ２０１は、ＲＯＭ２０３若しくはハードディスク２０８又は、記録媒体（ＣＤ―ＲＯＭドライブ）２０９に記録保存されたプログラムをＲＡＭ２０２に記録後、順次読み出して後述する各種制御処理を実施する。
【００２４】
ＲＡＭ２０２は、ＯＳの一部及びアプリケーションプログラムをロードすると共に、ＣＰＵ２０１の制御の下でアプリケーションプログラムを実施する際に使用される配列や変数を含む各種データ等を一時記録されるためのメモリである。
【００２５】
ＲＯＭ２０３には、各ハードウェアの制御プログラム（いわゆるＢＩＯＳ）等が記録されている。オペレーティングシステム（ＯＳ）の一部を記録することもできる。
ＬＡＮアダプタ（ネットワークインターフェースカード）２０４は、ネットワークに接続するための通信インターフェースである。
ビデオアダプタ２０５は、いわゆるビデオグラフィックアダプタ（ＶＧＡ）であり、液晶ディスプレイ等の各種ディスプレイが接続される。
【００２６】
ハードディスク２０８は、オペレーティングシステムや、画像情報（ｈｔｍｌやＣＧＩ等で記述された、ディスプレイに画面を表示させるための情報）を含む各種アプリケーションプログラムを記録する。
【００２７】
ハードディスク２０８で記録するデータは、データベースで管理するようにしてもよい。尚、ＰＯＰサーバ端末１０２のハードディスク２０８には、図１８Ａの商品マスタ７０８が記録されている。
【００２８】
記録媒体ドライブ２０９は、ＣＤ−ＲＯＭドライブ又は、ＤＶＤ−ＲＯＭドライブ、ＤＶＤ−Ｒドライブ等の記録媒体のデータを読み出し可能な駆動装置である。
ＵＳＢインターフェース２１０は、スキャナーなどの各種ＵＳＢ機器を接続するためのインターフェースである。
図２Ｂは、本発明の実施の形態に関わる、ハンディーターミナル端末１０５のハードウエア構成図である。
【００２９】
ハンディーターミナル端末１０５は、ＣＰＵ２２１と、ＲＡＭ２２２と、ＲＯＭ２２３と、無線ＬＡＮアダプタ２２４と、ビデオアダプタ２２５と、キーボード２２６と、タッチパネル２２７と、記録媒体Ｉ／Ｆ２２８と、通信Ｉ／Ｆ２２９と、スキャナ（バーコードリーダ）とを備え、これらが、システムバス２２０を介して接続されている。実際には、ＣＰＵ２２１乃至記録媒体Ｉ／Ｆ２２８とシステムバスとの間に図示しないインターフェース回路やチップセットが存在する。
システムバス２２０は、ＰＣＩバスやＡＧＰバス等の各種システムバスである。複数のシステムバス間は、図示しないチップセットを介して接続されている。
【００３０】
ＣＰＵ２２１は、ＲＯＭ２２３若しくは、記録媒体Ｉ／Ｆ２２８に接続されたコンパクトフラッシュ（登録商標）カードなどに記録保存されたプログラムをＲＡＭ２２２に記録後、順次読み出して後述する各種制御処理を実施する。
【００３１】
ＲＡＭ２２２は、ＯＳの一部及びアプリケーションプログラムをロードすると共に、ＣＰＵ２２１の制御の下でアプリケーションプログラムを実施する際に使用される配列や変数を含む各種データ等を一時記録されるためのメモリである。
【００３２】
ＲＯＭ２２３には、各ハードウェアの制御プログラム（いわゆるＢＩＯＳ）等が記録されている。オペレーティングシステム（ＯＳ）の一部を記録することもできる。
無線ＬＡＮアダプタ（ネットワークインターフェースカード）２２４は、ネットワークに接続するための通信インターフェースである。
ビデオアダプタ２２５は、いわゆるビデオグラフィックアダプタ（ＶＧＡ）であり、液晶ディスプレイ等の各種ディスプレイが接続される。
タッチパネル２２７は、アプリケーションプログラムからの制御が可能であり、タッチペンによる入力や手書き文字入力が可能な入力装置である。
記録媒体Ｉ／Ｆ２２８は、コンパクトフラッシュカードなどを装着し、アプリケーションプログラムや、ユーザデータの記録をおこなう。
通信Ｉ／Ｆ２２９は、ＲＳ−２３２Ｃ、Ｂｌｕｅｔｏｏｔｈ、ＵＳＢ、光インターフェースなどの機器接続するためのインターフェースである。
【００３３】
スキャナ（バーコードリーダ）２３０は、一次元コードや、二次元スキャナである。コードは、ＪＡＮ／ＥＡＮ／ＵＰＣ、ＰＤＦ４１７などのコードの運用が可能である。
図２Ｃは、本発明の実施の形態に関わる、複合機１０６のハードウエア構成図である。
【００３４】
複合機１０６は、ＣＰＵ２４１と、ＲＡＭ２４２と、ＲＯＭ２４３と、ＬＡＮアダプタ２４４と、タッチパネル２４５と、ハードディスク２４６と、通信Ｉ／Ｆ２４７と、スキャナ部２４８と、プリンター部２４９とを備え、これらが、システムバス２４０を介して接続されている。実際には、ＣＰＵ２４１乃至とシステムバスとの間に図示しないインターフェース回路やチップセットが存在する。
システムバス２４０は、ＰＣＩバスやＡＧＰバス等の各種システムバスである。複数のシステムバス間は、図示しないチップセットを介して接続されている。
ＣＰＵ２４１は、ＲＯＭ２４３に記録保存されたプログラムをＲＡＭ２４２に記録後、順次読み出して後述する各種制御処理を実施する。
【００３５】
ＲＡＭ２４２は、ＯＳの一部及びアプリケーションプログラムをロードすると共に、ＣＰＵ２４１の制御の下でアプリケーションプログラムを実施する際に使用される配列や変数を含む各種データ等を一時記録されるためのメモリである。
【００３６】
ＲＯＭ２４３には、各ハードウェアの制御プログラム（いわゆるＢＩＯＳ）等が記録されている。オペレーティングシステム（ＯＳ）の一部を記録することもできる。
ＬＡＮアダプタ（ネットワークインターフェースカード）２４４は、ネットワークに接続するための通信インターフェースである。
タッチパネル２４５は、複合機操作全般を行うための操作パネルである。標準的な基本操作以外にアプリケーションプログラムによる制御も可能である。
ハードディスク２４６は、アプリケーションプログラムや、ユーザデータの記録をおこなう。
通信Ｉ／Ｆ２４７は、ＵＳＢ、の機器接続するためのインターフェースである。
【００３７】
スキャナ部２４８は、原稿用紙をスキャンする機能である。スキャンした原稿の内容は、プリンター部へ直接印刷することも出来、ＴＩＦＦ形式、ＰＤＦ形式などの画像形式のファイルに変換することも可能である、画像変換したファイルは、ハードディスクに保存が可能である。
プリンタ部２４９は、スキャン部２４８でスキャンした原稿を印刷したり、クライアント端末から送信される印刷要求データを印刷することが出来る。
次に、本実施の形態の情報処理システムの各装置の機能について、図３を用いて説明する。
図３は、各装置の機能ブロック図である。
【００３８】
図３に示すように、ハンディーターミナル端末１０５は、符号４０１から符号４０８までに示す機能を備える。また、拠点ＰＯＳサーバ端末１０４は、符号４１１から符号４１７までに示す機能を備える。また、複合機１０６は符号４２１から符号４２６までに示す機能を備える。また、全社ＰＯＳサーバ端末１０３は、符号４３１から符号４３３までに示す機能を備える。また、ＰＯＰサーバ端末１０２は、符号４４１から符号４４３までに示す機能を備える。また、ＰＯＰ作成クライアント端末１０１は、符号４５１から符号４５２に示す機能を備える。
【００３９】
ハンディーターミナル端末１０５の機能について説明する。ハンディーターミナル端末１０５の商品データ受信部４０１は、拠点ＰＯＳサーバ端末１０４の商品データ送信部４１２によるデータ送信機能により送信される当日の商品の情報を受信する機能であり、ハンディーターミナル端末１０５を、通信網１１０に接続されたＯＣ端末１０８に接続することにより、通信網１１０を経由して商品情報を受信する。
【００４０】
商品データ登録部４０２は、商品データ受信部４０１で受信した商品情報データを、ハンディーターミナル端末１０５へ保存を行う機能である。ここで保存した当日の商品データをもとに後述する商品棚卸し処理を行う。
【００４１】
棚卸しＰＯＰ印刷入力部４０３は、ハンディーターミナル端末１０５において、棚卸し入力画面を利用して、商品毎の棚卸し数量、ＰＯＰ印刷の要否、商品の変更単価などを、入力を行い、ハンディーターミナル端末にデータとして保存する機能である。
【００４２】
ＰＯＰ貼付入力部４０４は、印刷されたＰＯＰを棚に貼付を行ったときに実施する入力作業であり、ＰＯＰ貼付入力画面により実施することができる。入力された内容は、棚卸しデータに更新され反映される。
【００４３】
差分データ処理部４０５は、拠点ＰＯＳサーバ端末１０４の差分判定結果送信部４１６より送信され、ハンディーターミナル端末１０５の差分データ受信部４０８で受信された、差分データにより、差分有りとされた商品に対して差分の原因を解消するための入力処理を行う機能である。
【００４４】
ＰＯＰ印刷要求送信部４０６は、棚卸しＰＯＰ印刷入力部４０３にて入力されたＰＯＰの印刷要否の情報をＰＯＰ印刷指示データとして、複合機１０６へ送信する機能である。当処理においては、ハンディーターミナル端末１０５と、複合機１０６が遠隔地にあるため複合機１０６に対しては、通信網１１０に接続された、無線ＡＰ１０７を経由して通信される。ハンディーターミナル端末は、まず無線ＡＰ１０７へ接続を行い、その後通信網１１０を利用して、複合機１０６と通信を行う。
【００４５】
棚卸しデータ送信部４０７は、棚卸しＰＯＰ印刷入力部４０３にて入力された商品の棚卸し数量、変更単価等を棚卸しデータとして拠点ＰＯＳサーバ端末１０４へ送信する機能である。拠点ＰＯＳサーバ端末１０４では、棚卸しデータ受信部４１３で受信する。
【００４６】
差分データ受信部４０８は、拠点ＰＯＳサーバ端末１０４の差分判定結果送信部４１６より、拠点ＰＯＳサーバ端末１０４で生成された差分データを受信する機能である。
次に、拠点ＰＯＳサーバ端末１０４の機能について説明する。
【００４７】
拠点ＰＯＳサーバ端末１０４の商品データ受信部４１１は、全社ＰＯＳサーバ端末１０３の商品データ送信部４３２により送信される当日の該当拠点の商品データを受信する機能である。受信した商品データは、一旦拠点ＰＯＳサーバ端末１０４内に保存される。
【００４８】
商品データ送信部４１２は、商品データ受信部４１１で全社ＰＯＳサーバ端末１０３より受信し保存している、該当拠点用の商品情報データを、各拠点のハンディーターミナル端末１０５からの要求により、ハンディーターミナル端末１０５に送信を行う機能である。
【００４９】
棚卸しデータ受信部４１３は、ハンディーターミナル端末１０５の棚卸しデータ送信部４０７により、ハンディーターミナル端末１０５から送信される棚卸しデータを受信する機能である。
印刷済みデータ受信部４１４は、複合機１０６のＰＯＰ印刷済データ送信部４２６より、送信されるＰＯＰ印刷済データを受信する機能である。
【００５０】
差分判定部４１５は、複合機１０６のＰＯＰ印刷済データ送信部４２６から送信され、拠点ＰＯＳサーバ端末１０４の印刷済データ受信部４１４で受信されたＰＯＰ印刷済データと、ハンディーターミナル端末１０５の棚卸しデータ送信部４０７から送信され、拠点ＰＯＳサーバ端末１０４の棚卸しデータ受信部４１３で受信された棚卸しデータを比較し、商品毎にＰＯＰ印刷をしたにも関わらず、ＰＯＰ貼付が行われていない商品がないかを判定を行い該当する商品については、差分データを作成する機能を持つ。
【００５１】
差分判定結果送信部４１６は、差分判定部４１５の処理結果により作成された差分データを、ハンディーターミナル端末１０５へ送信する機能である。送信されたデータは、ハンディーターミナル端末１０５の差分データ受信部４０８にて受信される。
棚卸しデータ送信部４１７は、全社ＰＯＳサーバ端末１０３に棚卸しデータを送信する機能である。
【００５２】
複合機１０６の機能について説明する。複合機１０６のＰＯＰ情報要求送信部４２１は、複合機１０６にて商品のＰＯＰ印刷実行時に、ＰＯＰに印字を行う商品情報をＰＯＰサーバ端末１０２に対して、要求する処理である。ＰＯＰサーバ端末１０２では、ＰＯＰ情報要求受信部４４２にて、当要求を受信する。
ＰＯＰ情報受信部４２２は、ＰＯＰサーバ端末１０２より送信されてくる、商品のＰＯＰ情報を受信する。
【００５３】
ＰＯＰ印刷要求受信部４２３は、ハンディーターミナル端末１０５のＰＯＰ印刷要求送信部４０６より送信されてくる、商品のＰＯＰ印刷要求を受信する機能である。ハンディーターミナルから、ＰＯＰ印刷指示データが送信されてくる。
【００５４】
ＰＯＰ生成部４２４は、ＰＯＰ印刷要求受信部４２３によりハンディーターミナル端末１０５からの商品のＰＯＰ印刷要求に対して、該当商品の商品情報と、フォーム情報を、ＰＯＰ情報受信部４２２により、ＰＯＰサーバ端末１０２より受信し、その商品情報を使用してＰＯＰを生成する。印刷指示データの変更単価項目がデータにあれば、ＰＯＰへの単価の印字は、変更単価を印字する。
ＰＯＰ印刷部４２５では、ＰＯＰ生成部４２４で生成されたＰＯＰを複合機のプリンター部より印刷を行う。
【００５５】
ＰＯＰ印刷済データ送信部４２６は、ＰＯＰ印刷部４２５にてＰＯＰ印刷を行った商品について、拠点ＰＯＳサーバ端末１０４にＰＯＰ印刷済データとして送信を行う。
【００５６】
次に、全社ＰＯＳサーバ端末１０３の機能について説明する。全社ＰＯＳサーバ端末１０３の商品データ登録部４３１は、全社標準の商品情報を登録、保存している。
商品データ送信部４３２は、全社ＰＯＳサーバ端末１０３が保存している商品情報を、拠点ＰＯＳサーバ端末１０４に対して送信する。
拠点棚卸しデータ受信部４３３は、拠点ＰＯＳサーバ端末１０４の棚卸しデータ送信部４１７より送信される棚卸しデータを受信する。
【００５７】
次に、ＰＯＰサーバ端末１０２の機能について説明する。ＰＯＰサーバ端末１０２のＰＯＰ登録部４４１は、ＰＯＰ作成クライアント端末１０１により作成され送信される、各商品のＰＯＰ用の商品情報、ＰＯＰのフォーム情報を保存している機能である。
【００５８】
ＰＯＰ情報要求受信部４４２は、複合機１０６のＰＯＰ情報要求送信部４２１から送信されてくる、ＰＯＰ情報要求を受信する機能をもつ。複合機でＰＯＰ印刷する商品のコード等が送信されてくる。
【００５９】
ＰＯＰ情報送信部４４３は、ＰＯＰ情報受信部４４２で受信した、複合機からの商品コードにしたがい、ＰＯＰサーバ端末１０２が保持するＰＯＰ情報のうち、今回の要求に合致する商品コードのＰＯＰ情報を複合機１０６のＰＯＰ情報受信部４２２に対して、送信する機能である。
【００６０】
次に、ＰＯＰ作成クライアント端末１０１について説明する。ＰＯＰ作成クライアント端末１０１のＰＯＰ作成部４５１は、ＰＯＰ用レイアウトを使用し各商品の商品情報をレイアウトしＰＯＰデザインを行う機能である。
ＰＯＰ送信部４５２は、ＰＯＰ作成部４５１で作成したＰＯＰ情報をＰＯＰサーバ端末１０２のＰＯＰ登録部４４１へ送信を行う機能である。
次に図４〜図９のフローチャートを用いて、本実施形態の詳細な処理について説明する。
図４は、拠点ＰＯＳ用データ作成処理に関するフローチャートである。
【００６１】
Ｓ５０１からＳ５０３は全社ＰＯＳサーバ端末１０３での処理であり、Ｓ５０４からＳ５０６は拠点ＰＯＳサーバ端末１０４（商品情報を記憶するサーバ装置）での処理である。なお、Ｓ５０１からＳ５０３は、全社ＰＯＳサーバ端末１０３のＣＰＵ２０１が実行し、Ｓ５０４からＳ５０６は、拠点ＰＯＳサーバ端末１０４のＣＰＵ２０１が実行する。
また、Ｓ５０１〜Ｓ５０２は商品データ登録部４３１で実行される処理であり、Ｓ５０３は商品データ送信部４３２で実行される処理である。
【００６２】
Ｓ５０１では、ハードディスク２０８で記憶している全社標準の商品情報データ（商品マスタ７０８）から、各拠点に関係する商品情報データを作成するための抽出処理を行う。
【００６３】
Ｓ５０２では、Ｓ５０１で抽出した全社標準の商品情報データをもとに、当日の拠点毎の商品情報データを作成する。安売りのための単価変更があるときなど、拠点用の商品情報データの販売単価が更新される。
Ｓ５０３では、Ｓ５０２で作成された、当日分の拠点毎の商品毎の商品情報データを拠点ＰＯＳサーバ端末１０４へ送信する。
Ｓ５０４では、Ｓ５０３により全社ＰＯＳサーバ端末１０３から送信された各拠点用の商品情報データのうち、該当拠点分の商品情報データを受信する。
【００６４】
Ｓ５０５では、Ｓ５０４で受信した拠点用の商品情報データをもとに、ハンディーターミナル端末用に商品情報データの変換を行う。変換されたデータを、ハンディーターミナル端末１０５用のＨＴ受信データ７０１とする。なお、ここで、ハンディーターミナル端末１０５は、ＨＴ受信データ７０１し記憶するため、商品識別情報と商品価格を含む商品情報を記憶する記憶手段を備える棚卸をするために用いる携帯端末と言い換えることができる。
Ｓ５０６では、Ｓ５０５により作成されたハンディーターミナル端末用のＨＴ受信データ７０１をハンディーターミナル端末１０５へ送信を実行する。
図５は、棚卸し入力処理に関するフローチャートである。
【００６５】
Ｓ５０７からＳ５１５はハンディーターミナル端末１０５での処理である。また、Ｓ５０７からＳ５１５は、ハンディーターミナル端末１０５のＣＰＵ２２１が実行する。
また、Ｓ５０７は商品データ受信部４０１で実行される処理で、Ｓ５０８〜Ｓ５１５は棚卸しＰＯＰ印刷入力部４０３で実行される処理である。
【００６６】
Ｓ５０７では、図４のＳ５０６により送信されるハンディーターミナル端末用のＨＴ受信データ７０１を受信する。このときに受信するＨＴ受信データ７０１の内容の例は、７５１の内容である。
【００６７】
Ｓ５０８では、ＨＴ受信データ７０１を受信後、操作者（棚卸実行者）がハンディーターミナル端末１０５の電源を入れると、表示部に棚卸しメニュー６０１を表示する。図１０の棚卸しメニュー６０１で「棚卸し  ＰＯＰ印刷」が選択されたことを検知すると、棚卸・印刷入力モードになり、図１１のＨＴの棚卸し入力６０２を表示部に表示させる。その後、操作者の操作に従って、図１１の棚卸し入力６０２を介し、商品コードの入力を受け付ける。
Ｓ５０９では、Ｓ５０８での商品ＣＤの入力受付後、該当する商品の商品名、本日単価をＨＴ受信データ７０１から取得し、表示部に表示する。
Ｓ５１０では、ＨＴの棚卸し入力６０２で、ＰＯＰ印刷の必要、有・無の選択を受け付ける。
Ｓ５１１では、ＨＴの棚卸し入力６０２で、棚卸し在庫数量の入力を受け付ける。
【００６８】
Ｓ５１２では、本日単価に変更を行う場合には、ＨＴの棚卸し入力６０２で売価の入力を受け付ける。本日単価に変更がない場合には入力を受け付けず次の処理に移行する。
なお、Ｓ５０８〜Ｓ５１２についてが棚卸入力処理である。
【００６９】
Ｓ５１３では、ＨＴの棚卸し入力６０２で登録ボタンが押下されたか否かを判定する。登録ボタンが押下された場合には、ステップＳ５１４へ処理を移し、登録ボタンが押下されていない場合には、待機状態或いはＳ５０８〜Ｓ５１２の入力を受け付ける。
【００７０】
Ｓ５１４では、入力を受け付けたデータをハンディーターミナル端末１０５に記憶されているＨＴ受信データ７０１の更新を行う。更新したＨＴ受信データ７０１の例は図１８ＢのＨＴ棚卸し入力後更新済データ７５２である。なお、図１１のＨＴの棚卸入力６０２でＰＯＰ印刷有が指示された場合には、ＨＴ棚卸し入力後更新済データ７５２では、印刷ＦＬＧ（フラグ）がＹとなり、ＰＯＰ印刷無が指示された場合には、ＨＴ棚卸し入力後更新済データ７５２では、印刷ＦＬＧ（フラグ）がＮとなる。
各商品に対してＳ５０８〜Ｓ５１３の処理を繰り返すことによって、商品の棚卸を実行し、ＰＯＰを張り替えるべきかを棚卸処理をしながら指示を行う。
【００７１】
Ｓ５１５では、当日の棚卸し処理が終了したかどうかの判定として、棚卸処理終了指示がされたか否かを判定する。棚卸処理終了指示を受け付けた場合には、処理を終了し、まだ終了していない場合は、Ｓ５０７より処理を再度実行する。処理が終了すると、図６のＳ５２１に処理を移行する。
図６は、ＰＯＰ印刷処理に関するフローチャートである。
【００７２】
Ｓ５２１からＳ５２４はハンディーターミナル端末１０５での処理であり、Ｓ５２５からＳ５３０は複合機１０６での処理である。Ｓ５６４は拠点ＰＯＳサーバ端末１０４での処理である。また、ハンディーターミナル端末１０５のＣＰＵ２２１がＳ５２１からＳ５２４の処理を実行し、複合機１０６のＣＰＵ２４１がＳ５２５からＳ５３０の処理を実行し、拠点ＰＯＳサーバ端末１０４のＣＰＵ２０１がＳ５６４の処理を実行する。
また、Ｓ５２１〜Ｓ５２４は、ＰＯＰ印刷要求送信部４０６で実行される処理である。
【００７３】
Ｓ５２１では、図５のＳ５１５による棚卸しデータ入力の終了がなれると、ＨＴ棚卸し入力後更新済データ７５２から、印刷ＦＬＧで「Ｙ」の商品があるか否かを判定する。商品ＦＬＧで「Ｙ」の商品があればＳ５２２へ処理を移し、商品ＦＬＧで「Ｙ」の商品がなければ、ＰＯＰ印刷が必要ないため、処理を終了する。
Ｓ５２２では、図１２のＰＯＰ印刷指示６０３をハンディーターミナル端末１０５の表示部に表示する。
Ｓ５２３では、図１２のＰＯＰ印刷指示６０３で「印刷指示」ボタンが押下されることで、印刷指示の入力を受け付ける。
【００７４】
Ｓ５２４では、印刷指示の入力を受け付けると、印刷ＦＬＧが「Ｙ」の商品を抽出して、ＰＯＰ印刷指示データ７０３を生成する。生成された商品ＣＤと変更単価を含むＰＯＰ印刷指示データ７０３を複合機１０６に送信する（商品識別情報と変更価格を含む印刷要求の印刷要求送信）。なお、送信するＰＯＰ印刷指示データ７０３の例はＰＯＰ印刷指示データ７５３である。
【００７５】
Ｓ５２５では、ハンディーターミナル端末１０５から送信される、ＰＯＰ印刷指示データ７０３を受信する（印刷要求受信）。なお、Ｓ５２５は、ＰＯＰ印刷要求受信部４２３で実行される処理である。
【００７６】
Ｓ５２６では、Ｓ５２５で受信したＰＯＰ印刷指示データ７０３から商品ＣＤを抽出し、ＰＯＰ印刷に必要な商品情報、フォーム情報の要求をＰＯＰサーバ端末１０２へ送信する。なお、Ｓ５２６はＰＯＰ情報要求送信部４２１で実行される処理である。
【００７７】
Ｓ５２７では、ＰＯＰ印刷用の商品情報、フォーム情報の取得要求に応じてＰＯＰサーバ端末１０２から送信されてきた、ＰＯＰ印刷用商品情報データ７０４とＦｏｒｍＩＤに対応するフォーム情報（不図示）を受信する。ＰＯＰ印刷用商品情報データ７０４の例は、７５４である。なお、Ｓ５２７はＰＯＰ情報受信部４２２で実行される処理である。
【００７８】
Ｓ５２８では、受信したＰＯＰ印刷用商品情報データ７０４とフォーム情報と、Ｓ５２５で受信したＰＯＰ印刷指示データ７０３に含まれる変更単価を合成し、ＰＯＰ印刷用のデータを生成する。なお、Ｓ５２８は、ＰＯＰ生成部４２４で実行される処理である。
【００７９】
Ｓ５２９では、生成されたＰＯＰ印刷用のデータを複合機１０６のプリンター部２４９で印刷を行う。印刷されるＰＯＰは、図１７の印刷物６５１であり、変更単価（変更価格）を含む値札を印刷する処理である。なおＳ５２９は、ＰＯＰ印刷部４２５で実行される処理である。
【００８０】
Ｓ５３０では、ＰＯＰ印刷を行った商品情報をＰＯＰ印刷済データ７０６として、拠点ＰＯＳサーバ端末１０４へ送信する。ＰＯＰ印刷済データ７０６の例が７５６である。また、Ｓ５３０は、ＰＯＰ印刷済データ送信部４２６で実行される処理である。
Ｓ５６４では、ＰＯＰ印刷済データ７０６を受信して、拠点ＰＯＰサーバ端末のハードディスク２０８に記憶させる。
図７は、ＰＯＰ貼付処理に関するフローチャートである。
【００８１】
Ｓ５４１からＳ５４７はハンディーターミナル端末１０５による処理である。また、ハンディーターミナル端末１０５のＣＰＵ２２１がＳ５４１からＳ５４７の処理を実行する。
【００８２】
また、ＰＯＰ貼付入力部４０４がＳ５４１〜Ｓ５４７を実行する。Ｓ５４１〜Ｓ５４７では、図１３のＰＯＰ貼付入力６０４及び図１４にＰＯＰ貼付入力−エラー表示６０５で入力される処理である。
【００８３】
さらに、ＰＯＰ貼付処理を行う際には、ハンディーターミナル端末１０５の記録媒体Ｉ／Ｆ２２８を介して接続されているコンパクトフラッシュ等の記録媒体にＰＯＰ印刷指示データ７５３が記憶されている。
【００８４】
Ｓ５４１では、図１０のＨＴの棚卸しメニュー６０１でＰＯＰ貼付入力ボタンが押下されると、値札貼付入力モードになり、図１３のＰＯＰ貼付入力６０４を表示し、ＰＯＰ貼付入力６０４で商品コードの入力を受け付ける。なお、商品コード（商品ＣＤ）の入力は、ユーザがハンディーターミナル端末１０５に備えるキーボード２２６から入力させるようにしてもよいし、ハンディーターミナル端末１０５に付属のバーコードリーダにより商品のバーコードを読み込むことでも可能である。
【００８５】
Ｓ５４２では、Ｓ５４１での商品ＣＤの入力後、該当する商品の商品名を表示する。又、該当商品ＣＤがＰＯＰ印刷指示を行ったものかどうかを印刷ＦＬＧから判定する。ＰＯＰ印刷指示を行ったものは、印刷ＦＬＧが「Ｙ」となっている。
【００８６】
Ｓ５４３では、Ｓ５４２での判定においてＳ５４１で入力された商品ＣＤがＰＯＰ印刷指示商品ではなかったときにエラー画面として、図１４のＰＯＰ貼付入力−エラー表示６０５を表示し、エラーの確認を促す。エラー確認後は、再度Ｓ５４１の処理を実行する。
【００８７】
Ｓ５４４では、Ｓ５４１での商品ＣＤの入力後、該当する商品ＣＤがＰＯＰ印刷指示商品であったときに、図１３のＰＯＰ貼付入力６０４の画面に「ＰＯＰを貼付けてください！」と表示し、ＰＯＰの貼付を促す。
Ｓ５４５では、図１３のＰＯＰ貼付入力６０４の画面において貼付完了ボタンの押下を受け付ける（貼付入力）。
【００８８】
Ｓ５４６では、ＰＯＰ貼付完了入力を実行された商品ＣＤについて、ＰＯＰ印刷指示データ７５３の更新を行う。更新したＰＯＰ印刷指示データ７５３の例は、図１８ＢのＨＴ棚卸しデータ７５５で、貼付済ＦＬＧを貼付済「Ｙ」に更新する。
【００８９】
Ｓ５４７では、貼付入力の完了指示があったかを判定する。貼付入力を継続して実行する時には、Ｓ５４１より処理を繰り返す。貼付入力の完了指示があった場合には処理を終了する。貼付入力がされた情報がＳ５６１で拠点ＰＯＳサーバ端末へ送信される。
図８は、貼付け差分判定処理に関するフローチャートである。
【００９０】
Ｓ５６１からＳ５６２はハンディーターミナル端末１０５での処理であり、Ｓ５６３からＳ５６９は拠点ＰＯＳサーバ端末１０４の処理であり、Ｓ５７０は全社ＰＯＳサーバ端末の処理である。なお、ハンディーターミナル端末１０５のＣＰＵ２２１がＳ５６１〜Ｓ５６２を実行し、拠点ＰＯＳサーバ端末１０４のＣＰＵ２０１がＳ５６３〜Ｓ５６９を実行し、全社ＰＯＳサーバ端末のＣＰＵ２０１がＳ５７０を実行する。
【００９１】
Ｓ５６１では、ハンディーターミナル端末１０５から拠点ＰＯＳサーバ端末１０４へ入力済みの棚卸しデータ７５５を送信する。なお、棚卸しデータ送信部４０７でＳ５６１を実行する。送信する棚卸データは少なくとも、商品ＣＤ（商品識別情報）と貼付済ＦＬＧ（貼付情報）を送信する。
【００９２】
Ｓ５６２では、拠点ＰＯＳサーバ端末１０４から送信されてくる差分データ７５７をハンディーターミナル端末１０５で受信を行い、ハンディーターミナル端末１０５の記録媒体に保存する。なお、差分データ受信部４０８でＳ５６２を実行する。
【００９３】
Ｓ５６３では、Ｓ５６１でハンディーターミナル端末１０５から送信された棚卸しデータ７５５を受信する（貼付情報を受信する）。なお、棚卸しデータ受信部４１３でＳ５６３の処理を実行する。
【００９４】
Ｓ５６４では、複合機１０６から送信される、ＰＯＰ印刷済データ７０６を受信する。ＰＯＰ印刷済データ７０６の例は、７５６である。なお、印刷データ受信部４１４でＳ５６４の処理を実行する。
【００９５】
Ｓ５６５では、複合機１０６から受信したＰＯＰ印刷済データ７０６（７５６）の商品毎のレコードをもとにして印刷済となっている商品について、ハンディーターミナル端末１０５から受信した、棚卸しデータ７５５の商品毎のレコードの貼付済ＦＬＧを参照し、貼付済となっているかどうかを判定する。当判定処理は、ＰＯＰ印刷済データ７０６（７５６）の全件に対して実施する（貼付されていない値札の商品ＣＤを抽出する）。なお、差分判定部４１５でＳ５６５の処理を実行する。
【００９６】
Ｓ５６６では、Ｓ５６５の差分判定処理にて、ＰＯＰ印刷済データで印刷済みとされている商品で、棚卸しデータでは貼付済ＦＬＧが「Ｎ」となっていなのものを差分データ７０７として作成する。差分データ７０７の例は７５７である。なお、差分判定部４１５でＳ５６６の処理を実行する。
【００９７】
Ｓ５６７では、Ｓ５６６で作成した、差分データ７０７（７５７）をハンディーターミナル端末１０５へ送信する（商品識別情報送信）。差分はまったく発生しないこともあるが、そのときは、レコード件数が０件のデータファイルを送信する。なお差分判定結果送信部４１６がＳ５６７の処理を実行する。
【００９８】
Ｓ５６８では、今回の処理で差分のレコードが発生したかどうかの判定を行い、差分データがない場合は、Ｓ５６９の処理を実行する。差分データが発生した場合は、再度ハンディーターミナル端末からの送信を待つ。なお、差分判定部４１５がＳ５６８の処理を実行する。
【００９９】
Ｓ５６９では、Ｓ５６８までの処理で差分データが無くなったとき、棚卸しデータ７５５を全社ＰＯＳサーバ端末１０３へ送信を行う。なお、棚卸しデータ送信部４１７がＳ５６９の処理を実行する。
【０１００】
Ｓ５７０では、拠点ＰＯＳサーバ端末から送信される、当日分の棚卸しデータ７５５を受信する。なお、棚卸しデータ受信部４３３でＳ５７０の処理を実行する。
図９は、ＰＯＰ再貼付け処理に関するフローチャートである。
【０１０１】
Ｓ５８１からＳ５８５はハンディーターミナル端末による処理である。なお、ハンディーターミナル端末１０５のＣＰＵ２２１がＳ５８１〜Ｓ５８５の処理を実行する。
また、差分データ処理部４０５でＳ５８１〜Ｓ５８３の処理を実行する。
【０１０２】
Ｓ５８１では、図１０の棚卸しメニュー６０１の差分データ処理ボタンが押下されると、再処理モードになり、図１５のＰＯＰ貼付差分データ一覧６０６を表示する。この画面に表示される商品は、差分データ７０７から取得されるデータである。また、この画面に表示される商品は、複合機１０６でＰＯＰ印刷が実施されたにも関わらず、ハンディーターミナル端末１０５で、ＰＯＰ貼付入力が行われていない商品の一覧である。
【０１０３】
Ｓ５８２では、図１５のＰＯＰ貼付差分データ一覧６０６で商品の行を選択することにより、図１６の差分データ処理６０７を表示する。図１６の差分データ処理６０７で差分のある商品に対して「再印刷」を行うか、「貼付済、入力漏（再印刷無）」かの選択を受け付ける。
Ｓ５８３では、全ての差分データに対して「再印刷」を行うか、「貼付済、入力漏（再印刷無）」を行うかの指示がされたか否かを判定する。
【０１０４】
Ｓ５８４では、差分データの全件に指示がされた場合に、再印刷データが存在するかどうかの判定を行う。再印刷データが発生した場合は、図６のＳ５２１〜Ｓ５２４の処理を実行し、複合機１０６に対して、印刷指示を実行する。再印刷データがないと判定された場合には、Ｓ５８５に処理を移す。
【０１０５】
また、Ｓ５８５では、Ｓ５８４の再印刷指示データの存在判定において、再印刷指示データがない場合には、差分データの処理完了通知を拠点ＰＯＳサーバ端末１０４に対して送信する。拠点ＰＯＳサーバ端末１０４においては、図８のＳ５６３〜Ｓ５７０の処理を実行する。
【０１０６】
以上説明したように、本実施形態によれば、商品の棚卸作業に伴って決定された値札（ＰＯＰ）の印刷履歴に従って、値札を付ける作業を管理することで、値札を付ける業務の効率化や値札の付け間違いを減らすことができる。
また、商品の棚卸ごとに価格の変更や、付け替えるための値札の印刷指示ができるため業務を効率化できる。
なお、上述した各種データの構成及びその内容はこれに限定されるものではなく、用途や目的に応じて、様々な構成や内容で構成されることは言うまでもない。
【０１０７】
具体的には、業務効率化により、ＰＯＰの印刷＆貼り付けが開店時間までに完了し、開店と同時に営業がスムーズに行うことができる。ＰＯＰの貼り付け漏れが削減でき、値段相違の事態や、ＰＯＰ無しの事態を回避することができ、トラブルの回避することができる。
【０１０８】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１０９】
また、本発明におけるプログラムは、図４〜図９の処理方法をコンピュータが実行可能なプログラムであり、本発明の記憶媒体は図４〜図９の処理方法をコンピュータが実行可能なプログラムが記憶されている。なお、本発明におけるプログラムは図４〜図９の各装置の処理方法ごとのプログラムであってもよい。
【０１１０】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１１１】
この場合、記録媒体から読み出されたプログラム自体が本発明の新規な機能を実現することになり、そのプログラムを記憶した記録媒体は本発明を構成することになる。
【０１１２】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１１３】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１４】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１５】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１１６】
さらに、本発明を達成するためのプログラムをネットワーク上のサーバ，データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
【符号の説明】
【０１１７】
１００  クライント端末
１０２  ＰＯＰ作成専用ＰＯＰサーバ端末
１０３  全社ＰＯＳサーバ端末
１０４  拠点ＰＯＳサーバ端末
１０５  ハンディーターミナル端末
１０６  複合機
１１０  通信網
【図１】
2011123536.tif 000003
【図２Ａ】
2011123536.tif 000004
【図２Ｂ】
2011123536.tif 000005
【図２Ｃ】
2011123536.tif 000006
【図３】
2011123536.tif 000007
【図４】
2011123536.tif 000008
【図５】
2011123536.tif 000009
【図６】
2011123536.tif 000010
【図７】
2011123536.tif 000011
【図８】
2011123536.tif 000012
【図９】
2011123536.tif 000013
【図１０】
2011123536.tif 000014
【図１１】
2011123536.tif 000015
【図１２】
2011123536.tif 000016
【図１３】
2011123536.tif 000017
【図１４】
2011123536.tif 000018
【図１５】
2011123536.tif 000019
【図１６】
2011123536.tif 000020
【図１７】
2011123536.tif 000021
【図１８Ａ】
2011123536.tif 000022
【図１８Ｂ】
2011123536.tif 000023